(57)【要約】      （修正有）【課題】座部が水平になるよう展開した状態で、座部の後部に上方から荷重が加わっても座部が起立して転倒する心配がなく、展開する時に指等を挟みにくく、構造が簡単で、収納時には容易に折り畳むことができる折り畳み椅子を提供する。【解決手段】左右の前脚１と、左右の後脚２と、座部３を備え、後脚２と前脚１は下端部が前後に開閉するよう軸着され、座部３の両側部が左右の前脚１に回動自在に取り付けられ、座部３の両側後部にスライダー６が左右に突出して設けられ、左右の後脚２に、後脚２に沿う溝形のスライド部１０と、スライド部１０一端の前方へ水平に屈曲したストッパー部１１とから成るレール７を設ける。さらに、スライダー６がレール７に摺動自在に係合されることによって、座部３が水平状態及び起立状態に位置規制され、座部３が水平状態にある時にスライダー６がストッパー部１１に位置する。【選択図】図１０
0003178288.tif 000002
【実用新案登録請求の範囲】
【請求項１】
左右一対の前脚と、左右一対の後脚と、座部を備え、左右の後脚と左右の前脚はそれぞれ下端部が前後方向に開閉するよう軸着され、前記座部の両側部の前後方向中間部がそれぞれ左右の前脚の上下方向中間部に回動自在に取り付けられ、前記座部の両側後部にそれぞれスライダーが左右方向に突出して設けられ、左右の後脚にそれぞれ長手方向に沿ってレールが設けられ、前記スライダーが前記レールに摺動自在に係合されることによって、前記座部が水平状態及び起立状態に位置規制される折り畳み椅子において、前記レールは、長手方向に沿った両側に溝壁を有する溝形であって、後脚に沿ったスライド部と、スライド部一端の展開時に水平となるよう前方へ屈曲したストッパー部とから成り、前記座部が水平状態にある時に前記スライダーがストッパー部に位置することを特徴とする折り畳み椅子。
【考案の詳細な説明】
【技術分野】
【０００１】
本考案は、使用しない時は前後の脚及び座部を平らに閉じて収納することができ、開いた時に不用意に折り畳まれるのを防ぐ折り畳み椅子に関する。
【背景技術】
【０００２】
従来の折り畳み椅子は、図１〜図３に示すように、左右一対の前脚ａと、左右一対の後脚ｂと、座部ｃを備える。後脚ｂの上端部は前脚ａの上下方向中間部に軸着され、左右の前脚ａの上端部間には背もたれｄが架設される。
座部ｃの両側面の前後方向中間部は、前脚ａと後脚ｂとの軸着部よりも下方において、左右の前脚ａに回動自在に取り付けられる。
後脚ｂには上下方向に沿ってスライド溝ｅが形成され、座部ｃの後端部両側に突設されたスライダーｆがスライド溝ｅに摺動自在に、且つ、回動自在に係合されている。
また、スライド溝ｅの上端よりやや上方において、左右の後脚ｂ間に横桟ｇが架設され、横桟ｇの下面に座受け突起ｈが設けられている。
【０００３】
折り畳み椅子を使用する時には、座部ｃの前端部と背もたれｄを離間させて、座部ｃを前方に倒すと共に、スライダーｆをスライド溝ｅに沿って上昇させ、前脚ａと後脚ｂの下端部を開く。そして、座部ｃが水平になると、座受け突起ｈが座部ｃの後部上面に当接し、座部ｃをその位置で停止させる。
一方、折り畳み椅子を収納する際には、背もたれｄと座部ｃの前端部を持って互いに接近させる。すると、スライダーｆがスライド溝ｅに沿って下方へ摺動すると共に、前脚ａと後脚ｂの下端部が接近し、図３に示すように、スライダーｆがスライド溝ｅの下端まで移動すると、座部ｃが起立して全体が扁平に折り畳まれる。
【０００４】
このような折り畳み椅子は、座部ｃを水平にした状態で、座部ｃの前部に重量が加わっている時は、座部ｃの後部の上昇は規制されているので、座部ｃは水平状態を保ち、前脚ａと後脚ｂの下端部は開いて安定している。
ところが、子供が座部ｃに登ったり、椅子を踏み台の代わりにして座部ｃ上に立ちあがった場合に、座部ｃの後部のみに重量が加わると、スライダーｆが下方へ摺動して座部ｃが起立し、前脚ａと後脚ｂの下端部が閉じて転倒しやすい。
また、折り畳み椅子を展開する時に、座部ｃと座受け突起ｈとの間に指等を挟むと非常に危険である。
【０００５】
さらに、展開した状態で保持できる安全性の高い折り畳み椅子として、特許文献１に記載されたものがある。
この折り畳み椅子は、上端が回動自在に連結された前脚部材及び後脚部材と、前脚部材の中途部に回動自在に取り付けられた座部体と、後脚部材の中途部に上下方向に沿って形成され、上端部と下端部にそれぞれ上部係止凹部と下部係止凹部が形成されたガイド溝と、座部体の下面後端部に、軸方向に付勢されると共に、ガイド溝にスライド自在に係合して設けられたスライド軸とを有する。
そして、座部体が倒伏状態の時はスライド軸が下部係止凹部に係合し、座部体が起立状態の時はスライド軸が上部係止凹部に係合して、座部体の回動を阻止し、その状態を安定して保持できるようになっている。
【０００６】
また、座部体の倒伏状態及び起立状態を解除して折り畳み椅子を開閉するためには、スライド軸と連動する摘みを摘まんでスライド軸を付勢力に抗して後退させ、スライド軸と上部係止凹部或いは下部係止凹部との係合を外した後、後脚部材の下端部を前脚部材に対して回動させる。
ところが、座部体の下面後端部に設けられた摘みは操作しにくいばかりか、一方の手で摘みを挟み付けながら、他方の手だけで後脚部材の下端部を前脚部材側に回動させるのは非常に難しかった。
また、スライド軸をバネによって突出させ、摘みを摘まむことによって後退させるので、折り畳み椅子を繰り返し開閉すると、スライド軸がスムーズに出没しなくなる恐れもある。
【先行技術文献】
【特許文献】
【０００７】
【特許文献１】特開平１０−１５５５９０号公報
【考案の概要】
【考案が解決しようとする課題】
【０００８】
本考案が解決しようとする課題は、座部が水平になるよう展開した状態で、座部の後部に上方から荷重が加わっても座部が起立して転倒する心配がなく、展開する時に指等を挟みにくく、構造が簡単で、収納時には容易に折り畳むことができる折り畳み椅子を提供することにある。
【課題を解決するための手段】
【０００９】
本考案は、左右一対の前脚と、左右一対の後脚と、座部を備え、左右の後脚と左右の前脚はそれぞれ下端部が前後方向に開閉するよう軸着され、前記座部の両側部の前後方向中間部がそれぞれ左右の前脚の上下方向中間部に回動自在に取り付けられ、前記座部の両側後部にそれぞれスライダーが左右方向に突出して設けられ、左右の後脚にそれぞれ長手方向に沿ってレールが設けられ、前記スライダーが前記レールに摺動自在に係合されることによって、前記座部が水平状態及び起立状態に位置規制される折り畳み椅子において、前記レールは、長手方向に沿った両側に溝壁を有する溝形であって、後脚に沿ったスライド部と、スライド部一端の展開時に水平となるよう前方へ屈曲したストッパー部とから成り、前記座部が水平状態にある時に前記スライダーがストッパー部に位置する。
【考案の効果】
【００１０】
本考案の折り畳み椅子によれば、座部が水平状態にある時、座部の後部に設けられたスライダーが水平なストッパー部に位置しているので、座部の上面に座部を閉じようとする偏った荷重が加わっても、スライダーは上下方向に移動することができず、このため、座部は安定して水平状態に保持されて不用意に閉じることがなく、安全性が高い。
また、椅子を展開した時に、スライダーがストッパー部に進入して座部が水平状態に支持されるため、回動した座部を水平状態で受ける座受け突起が不要となり、座部と座受け突起の間に指等を挟む心配がない。
【図面の簡単な説明】
【００１１】
【図１】従来の折り畳み椅子の展開状態における斜視図である。
【図２】従来の折り畳み椅子の展開状態における背面図である。
【図３】従来の折り畳み椅子の閉じた状態における側面図である。
【図４】本考案の実施例を示す折り畳み椅子の展開状態における斜視図である。
【図５】本考案の実施例を示す折り畳み椅子の展開状態における側面図である。
【図６】本考案の実施例を示す折り畳み椅子の閉じた状態における側面図である。
【図７】本考案の実施例に係る帯板及びスライダーの正面図である。
【図８】本考案の実施例に係る帯板及びスライダーの底面図である。
【図９】本考案の実施例に係るレールを示し、（イ）は正面図、（ロ）は側面図である。
【図１０】本考案の実施例を示す折り畳み椅子の展開状態における要部側面図である。
【図１１】本考案の実施例を示す折り畳み椅子の折り畳み途中における要部側面図である。
【考案を実施するための形態】
【００１２】
以下、本考案の実施例を図面に基づいて詳細に説明する。
折り畳み椅子は、図４〜図６に示すように、左右一対の前脚１と、左右一対の後脚２と、座部３を備える。なお、本実施例において、前脚１及び後脚２は木製の棒材より成り、座部３は、表面にクッション材を重ねた合板より成る。
左右の前脚１の上端部間には合板を素材とする背もたれ４が架設され、左右の前脚１の上下方向中間部には、座部３の両側部の前後方向中間部がそれぞれピン５を介して回動自在に取り付けられている。
【００１３】
また、ピン５よりもやや上方において、左右の前脚１の上下方向中間部には、左右の後脚２の上端部がそれぞれ軸着され、前脚１と後脚２の下端部は前後方向へ開閉するようになっている。
座部３の両側面の後部にはスライダー６が左右方向に突出して設けられ、左右の後脚２にはそれぞれスライダー６をガイドするレール７が長手方向に沿って設けられる。
座部３がピン５を中心として回動するとスライダー６がレール７に沿って摺動し、座部３が水平状態にある時、スライダー６はレール７の上端に位置し（図５）、座部３が起立した時、スライダー６はレール７の下端に位置する（図６）。
以上の構成は、従来の折り畳み椅子とほぼ同様であるが、展開した時に座部３の上面後部を受ける座受け突起は設けていない。
【００１４】
図７及び図８に示すように、座部３の下面後部に金属製の帯板８が幅方向に沿って装着され、帯板８の両端部に形成された垂下片９にスライダー６が左右方向へ突出するよう固定される。
本実施例において、スライダー６は、丸リベットより成り、その軸部を外方に向けて垂下片９を貫通している。
なお、帯板８を取り付けることにより座部３を補強する効果もある。
【００１５】
後脚２に取り付けられたレール７は、合成樹脂を素材とし、図９に示すように、後脚２に沿ったスライド部１０と、スライド部１０の上端のストッパー部１１とから成る。
スライド部１０は、長手方向に沿った両側に溝壁１２を有する溝形に形成される。ストッパー部１１は前方へ水平に屈曲しており、ストッパー部１１の基部は緩やかに湾曲してスライド部１０の上端に連続している。
また、ストッパー部１１及びスライド部１０の上下端部並びに中間部には、それぞれ固定用孔１３が形成されている。
【００１６】
図１０及び図１１に示すように、レール７は、後脚２の内側面（左右の後脚２の対向する面）において、前脚１と後脚２を開いた時に、ストッパー部１１がピン５とほぼ同じ高さになる位置に、固定用孔１３を通して後脚２にビス１４をねじ込むことにより固定される。
そして、スライダー６は、両側の溝壁１２の間に係合され、スライド部１０及びストッパー部１１に沿って摺動する。
【００１７】
閉じた状態の折り畳み椅子を使用する時は、座部３の前端部と背もたれ４を手で持って互いに離間させる。
すると、座部３は、ピン５を中心として後部が上昇する方向に回動し、これに伴って、レール７の下端部にあったスライダー６が次第に上昇し、同時に、前脚１と後脚２の下端部が次第に開く。
上昇したスライダー６は、スライド部１０の上端からストッパー部１１に至る湾曲部分に案内されてスムーズに前方へ移動し、図１０に示すように、スライダー６がストッパー部１１に係合した時、座部３が水平状態となる。
【００１８】
この状態で座部３に人が腰掛けると、前脚１と後脚２の下端部は互いに広がろうとするが、スライダー６がストッパー部１１の前端に当たって、後脚２は前脚１から遠ざかることはできないので、折り畳み椅子は安定して荷重を支えることができる。
また、座部３の上面後部のみに荷重が加わっても、スライダー６が位置するストッパー部１１は水平に延びているので、スライダー６は下方に摺動することができず、この結果、座部３は水平状態に保持される。
【００１９】
折り畳み椅子を収納する際には、座部３の前端部と背もたれ４を互いに接近させる。
すると、後脚２の下端が前脚１に接近する方向へ回動し、同時にストッパー部１１も前脚１に接近し、スライダー６はストッパー部１１から脱出可能となる。
座部３は、ピン５を中心として後部が下降する方向へ回転しようとするので、図１１に示すように、ストッパー部１１から脱出したスライダー６はスライド部１０に沿って下降し、前脚１と後脚２の下端部が次第に接近する。
図６に示すように、スライダー６がスライド部１０の下端部に達した時、座部３が起立して前脚１と後脚２が平行になり、折り畳み椅子は平らに折り畳まれる。
【００２０】
なお、折り畳み椅子の各部材の形状は図示のものに限定されず、各部材の素材も上記実施例に限定されない。
また、特許文献１に記載された折り畳み椅子のように、座部の前端部を引き起こして水平状態にし、座部の前端部を下方へ倒すことにより折り畳むものであってもよい。この場合、レールは、スライド部の下端に前方へ水平に屈曲したストッパー部を有する。そして、座部が水平状態にある時、スライダーはスライド部下端のストッパー部に位置し、座部を倒した時、スライダーがスライド部の上端部に位置する。
【符号の説明】
【００２１】
１  前脚
２  後脚
３  座部
４  背もたれ
５  ピン
６  スライダー
７  レール
８  帯板
９  垂下片
１０  スライド部
１１  ストッパー部
１２  溝壁
１３  固定用孔
１４  ビス
【図１】
0003178288.tif 000003
【図２】
0003178288.tif 000004
【図３】
0003178288.tif 000005
【図４】
0003178288.tif 000006
【図５】
0003178288.tif 000007
【図６】
0003178288.tif 000008
【図７】
0003178288.tif 000009
【図８】
0003178288.tif 000010
【図９】
0003178288.tif 000011
【図１０】
0003178288.tif 000012
【図１１】
0003178288.tif 000013